(57)【要約】【課題】本発明は、部品点数を抑えつつ、フロアコンソールを、パーキングブレーキレバーに対して均一な隙間量になるように固定させることが可能なフロアコンソール取付構造を提供する。【解決手段】本発明のフロアコンソール取付構造は、レバー装置６のベース部材７にコンソール締結用ブラケット３２を設け、同ブラケット３２でコンソール２０を締結させる構造とした。これにより、フロアコンソール２０をフロア部分２ａに取付けるときに生ずるばらつきは、レバー装置６をフロア部分２ａに取付けるときのばらつきだけに一元化されるので、ばらつきの変動が抑えられ、パーキングブレーキレバー５の左右の隙間δ１，δ２が均一になる。【選択図】      図１
2007083819.tif 000002
【特許請求の範囲】
【請求項１】
車体のフロアに設置されたベース部材と該ベース部材に支持されたパーキングブレーキレバーとを有して構成されるレバー装置と、
ブレーキレバー用開口部を有し、該ブレーキレバー用開口部から前記パーキングブレーキレバーを突き出させて前記ベース部材を覆うように、前記フロアに配置されるフロアコンソールと、
前記ベース部材に設けられ、前記フロアコンソールを締結するためのコンソール締結用ブラケットと
を具備したことを特徴とするフロアコンソール取付構造。
【請求項２】
前記ベース部材は、前記パーキングレバーを回動可能に支持する支持壁を有し、
前記コンソール締結用ブラケットは、前記支持壁に設けられる
ことを特徴とする請求項１に記載のフロアコンソール取付構造。
【請求項３】
前記コンソール締結用ブラケットは、
前記支持壁から前記フロアコンソールの締結すべき締結部位へ延びる本体部と、
同本体部の端部に形成され、前記締結部位を受ける座面部と、
該座面部に形成され、前記締結部位と締結される締結孔と
を有して形成されることを特徴とする請求項２に記載のフロアコンソール取付構造。
【発明の詳細な説明】
【技術分野】
【０００１】
本発明は、パーキングレバー装置のベース部材を覆うようにフロアコンソールを取付けるフロアコンソール取付構造に関する。
【背景技術】
【０００２】
自動車（車両）のパーキングブレーキの多くは、運転席と助手席との間のフロア部分に、レバー式の操作装置、具体的にはパーキングブレーキレバーをもつレバー装置を設置した構造が用いられている。
【０００３】
ところで、レバー装置は、単純に車体のフロア部分に取付けたのでは、パーキングブレーキレバーを支持するベース部材が外部に露出し、見栄えが悪い。そこで、パーキングレバーを採用した自動車の多くは、ブレーキレバー用開口部をもつフロアコンソールを用いて、ベース部材が外部に露出しないようにしている。具体的には、フロアコンソールは、ブレーキレバー用開口部からパーキングブレーキレバーを突き出させながら、ベースプレートの周りを覆うカバー製品で、これで見栄えを良好にしている。
【０００４】
こうしたフロアコンソールの取付けには、従来から、ボルトやねじといった締結具を用いて、フロア部分に締結する構造が用いられている。具体的には、同締結構造には、フロアコンソールの締結するべき締結部位に締結用の孔部を形成し、フロア部分に締結部位を受けるブラケットを設置した構造が用いられ、ボルトやねじなど締結具を、フロアコンソールの締結部位からブラケットへねじ込むことによって、フロアコンソールを固定していた。
【０００５】
ところで、取付けを終えたフロアコンソールは、パーキングブレーキレバーの両側部とブレーキレバー用開口部の開口縁との間に生じる左右の隙間が目につきやすい。このため、同部分が見栄えに影響を与える箇所となっている。
【０００６】
ところが、上記のようなフロアコンソールの取付けだと、ベースプレートの取付時に生ずるばらつきに、ブラケットの取付時に生ずるばらつきが加わるために、パーキングブレーキレバーとフロアコンソール間で大きなばらつきが生み出されることがある。このため、たとえ公差の範囲内で各部品の締結を終えても、場合によっては、パーキングブレーキレバーがブレーキレバー用開口部の左右方向へ極端に偏った地点に位置決められることがある。このような場合、パーキングブレーキレバーの左右の隙間のうち、一方が極端に狭く、他方が極端に広くなるので、見栄えが悪い。
【０００７】
こうした点を改善するために、従来、特許文献１に開示されているように、フロアコンソールをフロア部分に締結する構造とは別に、フロアコンソールを所定の地点に位置決めるための専用の係止構造を設けて、フロアコンソールが、ばらつきに左右されずに、パーキングブレーキレバーに対して適切に位置決められるようにした構造が提案されている。
【特許文献１】特開平７−３０００２８号公報
【発明の開示】
【発明が解決しようとする課題】
【０００８】
このような係止構造は、確かにパーキングブレーキレバーとブレーキレバー用開口部との左右の隙間量の偏りが防げる。しかし、上記特許文献１に開示されている構造では、同係止構造とは別に、フロアコンソールを締結する構造を設ける必要があるので、部品点数の増加化を招く。このため、コストを増大させる問題がある。
【０００９】
そこで、本発明の目的は、部品点数を抑えつつ、フロアコンソールを、パーキングブレーキレバーに対して均一な隙間量になるように固定させることが可能なフロアコンソール取付構造を提供することにある。
【課題を解決するための手段】
【００１０】
請求項１に記載の発明は、上記目的を達成するために、レバー装置のベース部材にコンソール締結用ブラケットを設ける構造を採用した。
【００１１】
請求項２に記載の発明は、上記目的に加え、さらにコンソール締結用ブラケットが、パーキングブレーキレバーの取付姿勢と追従するよう、コンソール締結用ブラケットには、ベース部材のうち、パーキングブレーキレバーを回動可能に支持する支持壁に設ける構造を採用した。
【００１２】
請求項３に記載の発明は、さらに上記目的に加え、さらに簡単な構造で、コンソール締結用ブラケットとフロアコンソールとの締結が行なわれるよう、コンソール締結用ブラケットには、支持壁からフロアコンソールの締結するべき締結部位へ延びる本体部、同本体の端部に形成された座面部、該座面部に形成された締結孔を有した構造を採用した。
【発明の効果】
【００１３】
請求項１に記載の発明によれば、ベース部材に、フロアコンソールを締結するコンソール締結用ブラケットを設けたことで、フロアコンソールをフロア部分に取付けるときのばらつきを、レバー装置をフロア部分に取付けるときのばらつきだけに、一元化させることができる。
【００１４】
したがって、別途、専用の位置決め構造を必要とせず、フロアコンソールを締結するブラケットを活用して、ばらつきの発生を抑えることができる。この結果、フロアコンソールは、安価なコストで、パーキングブレーキレバーに対して左右の隙間量が均一になるように固定できる。しかも、同構造は、従来、使用されていたベース部材にコンソール締結用ブラケットを取付ける構造であるから、ブラケット全体を新たに製作するよりも、ベース部材を流用できて型費、試験費等を削減することができる。
【００１５】
請求項２に記載の発明によれば、さらにコンソール締結用ブラケットは、パーキングブレーキレバーばらつきの要因となるベース部材の支持壁の取付姿勢にも追従するので、たとえパーキングブレーキレバーが、同レバーの回動方向とは直交する方向に対して傾く方向のばらつきが生じていたとしても、フロアコンソールは、同ばらつきの影響を受けずにすむ。
【００１６】
請求項３に記載の発明によれば、さらに簡単な構造で、コンソール締結用ブラケットとフロアコンソールとを締結させることができる。
【発明を実施するための最良の形態】
【００１７】
［一実施形態］
以下、本発明を図１〜図５に示す一実施形態にもとづいて説明する。
【００１８】
図１は車両である乗用車（自動車）の車体に装備されたフロアコンソールの全体を示し、図２は同フロアコンソールを外した状態を示し、図３〜図４はそれぞれ各部の構造を示している。
【００１９】
図１中１は、車体のフロア、２は同フロア１の車幅方向中央に形成されたフロアトンネル部を示している。フロアトンネル部２は、車体の前後方向に沿って細長く延びている。このフロアトンネル部２を挟んだ両側に、運転席、助手席（図示しない）が据え付けられ、フロアトンネル部２の車体後部に後席（図示しない）が据え付けられる。
【００２０】
このフロアトンネル部２のうち、運転席と助手席との間に配置されるフロア部分２ａには、パーキングブレーキレバー５が付いたレバー装置６が据え付けられている。さらに同フロア部分２ａには、パーキングブレーキレバー５を除くレバー装置６の周りを覆うように、フロアコンソール２０が据え付けられている。
【００２１】
レバー装置６には、図２に示されるようにベース部材となるベースプレート７に、先端にブレーキ解除ボタン５ａを有するパーキングブレーキレバー５を回動自在に支持させた構造が用いられている。具体的には、ベースプレート７は、例えば図２に示されるように支持壁としての車体前後方向に延びる帯形の縦壁９と、同縦壁９の各部から下側へ延びて車幅方向両側に張り出す複数、ここでは３つの脚部１０〜１２とをもつ金属製部品から構成される。このベースプレート７は、図４および図５にも示されるように脚部１０〜１２を、締結具であるボルト１４で、フロア部分２ａに締結することによって、同フロア部分２ａの上面の所定位置に固定させてある。このベースプレート７の縦壁９に、パーキングブレーキレバー５の根元部が前後方向に回動自在に支持させてある。パーキングブレーキレバー５から延びるワイヤ（図示しない）は、例えば後輪のハブに組み込まれたパーキングブレーキ（いずれも図示しない）に接続され、パーキングブレーキレバー５を把持して起こす方向に操作すると、パーキングブレーキが作動し、ブレーキ解除ボタン５ａを押しながらパーキングブレーキレバー５を倒す方向に操作すると、同パーキングブレーキの作動が解除されるようにしてある。なお、パーキングブレーキレバー５のロックやロック解除は、ブレーキ解除ボタン５ａの操作に応動して係脱するラチェット機構（図示しない）で行なわれる。但し、１５は、パーキングブレーキレバー５の先端部に形成された把持部を示している。
【００２２】
フロアコンソール２０は、例えば前方へ細長く延びた合成樹脂製の部品が用いられている。具体的には、例えばフロアコンソール２０は、他より低くしたレバー操作用の低位部２１を挟んで車体後側にカバー部２２を形成し、車体前側に収容用ボックス部２３を形成した一体成形品で形成される。なお、２４は、カバー部２２の上部壁（横壁）に形成されたカップホルダをなす凹部を示す。フロアコンソール２０のうち、カバー部２２の正面の角部をなす縦壁２２ａおよび横壁２２ｂには、これら壁２２ａ，２２ｂに渡るスリットで形成されたブレーキレバー用開口部２５が形成されている。またコンソール２０の各部、例えば前部、中央部、後部といった締結するべき部位、具体的には図２中の破線で示されるボックス部２３の底壁前部、実線で示される段部２１の上部壁（横壁）、破線で示される凹部２４の底壁部といった部位で形成される各締結部位Ａ１〜Ａ３には、それぞれ締結用孔部２６〜２８が形成されている。
【００２３】
このフロアコンソール２０が、図１に示されるようにブレーキ用開口部２５からパーキングブレーキレバー５を突出させ、かつカバー部２２でベースプレート７の周囲を覆うように、フロア部分２ａの上面に被せてある。なお、ボックス部２３は、ベースプレート７の前方のフロア部分２ａに配置される。
【００２４】
このフロアコンソール２０の各締結部位Ａ１〜Ａ３が、それぞれ例えば板金製のコンソール締結用ブラケット３０〜３２（以下、単にブラケットという）を用いて、フロア部分２ａに固定してある。具体的には、締結部位Ａ１〜Ａ３を締結するブラケット３０〜３２のうち、前部と中央部の締結部位Ａ１，Ａ２と組合うブラケット３０，３１は、図２に示されるようにフロア部分２ａに固定（例えばボルト止めなど）されている。詳しくは、ブラケット３０，３１は、締結部位Ａ１，Ａ２を下側から支える台形をなしている。そして、締結部材Ａ１，Ａ２は、図１に示されるように孔部２６，２７から、ブラケット３０，３１に形成された締結孔３４（例えばねじ孔）へ、締結具、例えばボルト３５をねじ込むことによって、ブラケット３０，３１に締結させてある。なお、中央部の孔部２７には、ボルト３５の頭部が見えないよう、プラグ（図示しない）が装着される。
【００２５】
残る締結部位Ａ３は、前部や中央部のときのようにフロア部分２ａにブラケット構造を設けるのではなく、ブレーキレバー装置６のベースプレート７にブラケット３２を設けるという構造を採用して、フロア部分２ａに固定されている。この締結構造の各部が図３〜図５に示されている。
【００２６】
同締結構造を説明すると、ブラケット３２の本体部３２ａは、例えば図３に示されるように例えば側部に縦壁３７を有し、上部に横壁３８を有して、細長く延びる逆Ｌ形の部材が用いられている。この本体部３２ａの一端部をなす縦壁３７部分が、ベースプレート７の縦壁９に固定されている。具体的には、本体部３２ａの一端部は、図２〜図４に示されるように縦壁３７部分を、パーキングブレーキレバー５の根元部から後寄りの縦壁９部分に重合わせ、これら重ね合わせた壁部分同士を締結具、例えばボルト３９で締結することによって、ベースプレート７に固定させてある。
【００２７】
ベースプレート７に組付けた本体部３２ａの他端部は、図２に示されるように孔部２８の有る締結部位Ａ３へ向って延びている。この本体部３２ａの他端部には、図５に示されるように締結部位Ａ３、ここでは凹部２４の底壁部を、下側から受ける座面部４０が形成されている。この座面部４０には、締結孔４１（例えばねじ孔：図２、図３に図示）が形成され、同締結孔４１を用いて締結部位Ａ３を締結させている。すなわち、締結部位Ａ３は、図１に示されるように孔部２８から締結孔４１へ、締結具、例えばボルト４２をねじ込むことによって、ブラケット３２に締結されている。
【００２８】
つまり、フロアコンソール２０の組付けは、まず、フロアコンソール２０の全体を、ブレーキレバー用開口部２５からパーキングブレーキレバー５を突き出せながら、ブラケット３０，３１およびブレーキレバー装置６に対して被せる。この際、各締結部位Ａ１〜Ａ３を各ブラケット３０〜３２に載せる。この後、ボルト３５を締結部位Ａ１，Ａ２に有る孔部２６，２７からブラケット３０，３１の締結孔３４へねじ込み、ボルト４２を締結部位Ａ３に有る孔部２８からブラケット３２の締結孔４１へねじ込むと、フロアコンソール２０がフロア部分２ａに組付く。
【００２９】
ここで、フロアコンソール２０後部の締結は、パーキングブレーキレバー５の根元部およびブレーキレバー用開口部２５の双方の近くで行なわれるために、同部分間で生じるばらつきは、パーキングブレーキレバー５の両側部とブレーキレバー用開口部２５の開口縁との間の左右の隙間δ１，δ２（図１にだけ図示）に対して、かなりの影響を与える。
【００３０】
このとき、フロアコンソール２０の後部を締結するブラケット３２は、フロア部分２ａでなく、レバー装置６のベースプレート７に設けられているから、フロアコンソール２０の後部を取付けるときのばらつきは、レバー装置６をフロア部分２ａに取付けるときのばらつきに許容される。つまり、隙間δ１，δ２の隙間量に影響を与えていたばらつきは、レバー装置６をフロア部分２ａに取付けるときのばらつきに一元化される。
【００３１】
このことは、隙間δ１，δ２の影響を与えるばらつきの変動幅は小さく抑えられる。
【００３２】
これにより、フロアコンソール２０は、各部品の公差範囲内で締結を終える組付作業、つまり通常の組付作業を行なう限り、パーキングブレーキレバー５が、ブレーキレバー用開口部２５の左右方向へ極端に偏った地点に位置決められることはなくなる。すなわち、左右の隙間δ１，δ２のうち、一方が極端に狭く、他方が極端に広くなるといった、見栄えの点で劣るフロアコンソール２０の組付けは回避される。
【００３３】
それ故、ブラケット３２を活用した締結構造、すなわち、別途、専用の位置決め構造を必要としない部品点数を抑えた安価な構造によって、フロアコンソール２０は、左右の隙間量（δ１，δ２）が均一になるように据付けられる。
【００３４】
特にパーキングブレーキレバー５を支持する縦壁９（支持壁）にブラケット３２を支持させる構造を用いると、同ブラケット３２に、パーキングブレーキレバーの取付姿勢に追従する特性が与えられる。同特性により、たとえパーキングブレーキレバー５自身に左右方向（レバーの回動方向とは直交する方向）へ傾くばらつきが生じていたとしても、同ばらつきに追従してフロアコンソール２０が変位するので、左右の隙間δ１，δ２の隙間量は、同ばらつきの影響を受けずに、均一な隙間量のままとなり、高い組付け精度がもたらせられる。
【００３５】
またブラケット３２は、縦壁９から締結部位Ａ３へ延びる本体部３２ａ、締結部位Ａ３を受ける座面部４０、締結孔４１を組合わせた構造を採用したので、構造は簡単である。
【００３６】
しかも、こうした効果をもたらす構造は、従来、使用されていたベースプレート７にコンソール締結用のブラケット３２を取付ける構造であるから、ブラケット全体を新たに製作するよりも、ベースプレート７を流用できるので、型費、試験費等を削減することができる。
【００３７】
なお、本発明は上述した一実施形態に限定されるものではなく、本発明の主旨を逸脱しない範囲内で種々変更して実施しても構わない。例えば一実施形態では、収容用ボックス部付きのフロアコンソールを用いた例を挙げたが、これに限らず、収容ボックス部の無いフロアコンソールに本発明を適用してもよい。また一実施形態では、ブラケットをベースプレートにボルト止めした構造を挙げたが、これに限らず、ブラケットは、溶接などの他の固定手段でベースプレートに固定してもよい。むろん、ブラケットは、ベースプレートと一体に成形、具体的にはベースプレートを成形する際、ブラケットも一緒に成形するようにしても構わない。また一実施形態では、パーキングブレーキレバーを挟んだ後部のブラケットが、ばらつきを発生しやすいために、後部のブラケットをベースプレートに固定したが、これに限らず、例えば前部のブラケットがばらつきを発生しやすいのであれば、同ブラケットをベースプレートに固定すればよい。
【図面の簡単な説明】
【００３８】
【図１】本発明の一実施形態に係るフロアコンソールの取付構造を示す斜視図。
【図２】同フロアコンソールを取外したときの状態を示す分解斜視図。
【図３】ブラケットがベースプレートに取付く構造を説明するための分解斜視図。
【図４】図１中のＡ−Ａ線に沿うブラケットのベースプレートに対する締結構造を示す断面図。
【図５】図１中のＢ−Ｂ線に沿うブラケットの締結部位に対する締結構造を示す断面図。
【符号の説明】
【００３９】
２ａ…フロア部分、５…パーキングブレーキレバー、６…レバー装置、７…ベースプレート（ベース部材）、２０…フロアコンソール、２５…ブレーキレバー用開口部、３２…ブラケット、３２ａ…本体部、４０…座面部、４１…締結孔、Ａ３…締結部位。
【図１】
2007083819.tif 000003
【図２】
2007083819.tif 000004
【図３】
2007083819.tif 000005
【図４】
2007083819.tif 000006
【図５】
2007083819.tif 000007